(57)【要約】【課題】手で持って使用される携帯用カンナにおいて、軽量化やコンパクト化を図ることにより、使用者にとって扱い易いものとする。【解決手段】携帯用カンナ１０は、モータ２１を有する。モータ２１はアウタロータ型のモータで構成されている。このため、モータ２１は、インナロータ型のモータに比べて回転トルクが高められたものとなっている。モータ２１の一部となるアウタロータのロータ２６外周の取付部材３１に刃具３５を取り付けることができる。これによって、回転トルクを高めるためのベルトやギヤなどの減速手段を廃止することができ、軽量化およびコンパクト化を図って使用者にとって扱い易いものとなる。【選択図】図１
2017056684.tif 000002
【特許請求の範囲】
【請求項１】
手で持って使用される携帯用カンナであって、
駆動源がアウタロータ型のモータである、携帯用カンナ。
【請求項２】
手で持って使用される携帯用カンナであって、
駆動源がブラシレスモータである、携帯用カンナ。
【請求項３】
手で持って使用される携帯用カンナであって、
手で握られるグリップの下方にバッテリが配置されている、携帯用カンナ。
【請求項４】
手で持って使用される携帯用カンナであって、
モータとバッテリとの間に、該モータを制御する制御部が配置されている、携帯用カンナ。
【請求項５】
手で持って使用される携帯用カンナであって、
ベースと、
前記ベースの上方に配置されるバッテリ保持部と、
前記バッテリ保持部に裏返した状態で保持されるバッテリと、を有する、携帯用カンナ。
【発明の詳細な説明】
【技術分野】
【０００１】
本発明は、手で持って使用される携帯用カンナに関する。
【背景技術】
【０００２】
近年、木材の面加工に携帯用カンナが利用されている（例えば、特許文献１参照）。この種の携帯用カンナは、駆動源としてインナロータ型のモータが内蔵されている。モータのモータ軸には、回転駆動力を伝達するための無端ベルトが巻回されている。無端ベルトは、シリンダの回転軸にも巻回されており、モータの回転駆動力がシリンダに伝達されている。シリンダの外周には刃が取り付けられている。刃は、木材の加工面に当てられるようになっており、シリンダと共に回転することにより木材の面加工を行う。
【先行技術文献】
【特許文献】
【０００３】
【特許文献１】米国特許出願公開第２００９／００００６９６号明細書
【発明の概要】
【発明が解決しようとする課題】
【０００４】
ところで、上記した携帯用カンナにあっては、手で持って動かしながら使用される。このため、使用者の作業のし易さを高める上で、工具としての軽量化や工具としてのコンパクト化が求められている。
【０００５】
本発明は、このような事情に鑑みなされたものであって、本発明が解決しようとする課題は、手で持って使用される携帯用カンナにおいて、軽量化やコンパクト化を図ることにより、使用者にとって扱い易いものとすることにある。
【課題を解決するための手段】
【０００６】
上記した課題を解決するにあたって、本発明に係る携帯用カンナは次の手段をとる。すなわち、本発明の第１の発明に係る携帯用カンナは、手で持って使用される携帯用カンナであって、駆動源がアウタロータ型のモータである、という構成である。この第１の発明に係る携帯用カンナによれば、駆動源がアウタロータ型のモータであるので、インナロータ型のモータに比べて回転トルクが高められている。これによって、ベルトやギヤなどの減速手段を介装させることなく、モータの一部となるアウタロータの外周側に刃を取り付けることができる。したがって、回転トルクを高めるための減速手段を廃止することができ、軽量化およびコンパクト化を図って使用者にとって扱い易いものとなる。
【０００７】
本発明の第２の発明に係る携帯用カンナは、手で持って使用される携帯用カンナであって、駆動源がブラシレスモータである、という構成である。この第２の発明に係る携帯用カンナによれば、モータをブラシ無しで構成することができる。これによって、モータの軽量化およびコンパクト化とすることができ、携帯用カンナ自体の軽量化およびコンパクト化を図ることができる。
【０００８】
本発明の第３の発明に係る携帯用カンナは、手で持って使用される携帯用カンナであって、手で握られるグリップの下方にバッテリが配置されている、という構成である。この第３の発明に係る携帯用カンナによれば、手で握られるグリップの下方にバッテリが配置されているので、バッテリの嵩張りを携帯用カンナの製品寸法内に収めることができる。これによって、携帯用カンナのコンパクト化を図ることができ、使用者の作業のし易さを高めることができる。なお、このように手で握られるグリップの下方にバッテリが配置されていると、バッテリの重量は手の握り位置よりも下方位置でかかることとなる。これによって、携帯用カンナの重心位置を手で握る位置よりも下げて操作安定性に優れたものとすることができる。
【０００９】
本発明の第４の発明に係る携帯用カンナは、手で持って使用される携帯用カンナであって、モータとバッテリとの間に、該モータを制御する制御部が配置されている、という構成である。この第４の発明に係る携帯用カンナによれば、モータとバッテリとの間にモータを制御する制御部が配置されているので、モータとバッテリとの間の配線を最も短くすることができる。これによって、携帯用カンナのコンパクト化を図ることができ、使用者の作業のし易さを高めることができる。なお、このようにモータとバッテリとの間にモータを制御する制御部が配置されていると、制御部はバッテリよりもモータに近づけられて配置される。これによって、モータの回転駆動力を利用して発生させた冷却風を制御部に当て易くすることができ、制御部を良好に冷却することができる。
【００１０】
本発明の第５の発明に係る携帯用カンナは、手で持って使用される携帯用カンナであって、ベースと、前記ベースの上方に配置されるバッテリ保持部と、前記バッテリ保持部に裏返した状態で保持されるバッテリと、を有する、という構成である。この第５の発明に係る携帯用カンナによれば、バッテリは裏返された状態で保持されることとなる。これによって、平面に設定されるバッテリの下面を上方に向けて配置させることができて、バッテリ上方のスペースを効率良く確保することができる。これによって、携帯用カンナのコンパクト化を図ることができ、使用者の作業のし易さを高めることができる。なお、このようにベースの上方に配置されたバッテリ保持部でバッテリが保持されていると、バッテリの重量がベースにかかり易いようになる。これによって、木材に当てるための荷重を良好に確保することができて、木材の面加工を効率良く行うことができる。
【図面の簡単な説明】
【００１１】
【図１】左右半割り断面で携帯用カンナを示す断面図である。
【図２】図１における(II)-(II)一部断面矢視を示す断面図である。
【図３】図２における(III)-(III)断面矢視を示す断面図である。
【図４】図１における(IV)-(IV)断面矢視を示す断面図である。
【発明を実施するための形態】
【００１２】
以下、本発明に係る携帯用カンナを実施するための実施の形態について図１〜図４を参照しながら説明する。なお、図１の断面図は左右半割り断面で携帯用カンナ１０を示している。図２の断面図は図１における(II)-(II)一部断面矢視を示している。図３の断面図は図２における(III)-(III)断面矢視を示している。図４の断面図は図１における(IV)-(IV)断面矢視を示している。なお、以下に図示される携帯用カンナ１０を説明するにあたっては、図面に規定の前後上下左右の方向を用いて説明する。この携帯用カンナ１０は、面加工を行いたい木材の上面を前方へ滑らすように手で持って使用される電動工具である。
【００１３】
携帯用カンナ１０は、概略、ベース１１と、ハウジング１３と、モータ部２０と、バッテリ装着部４５と、グリップ部５０と、切込高調整機構７０とを有する。これらの並び位置としては、バッテリ装着部４５の前方にモータ部２０が配置され、モータ部２０の前方に切込高調整機構７０が配置される。モータ部２０は、携帯用カンナ１０の前後長の略中央の位置に配置されている。また、グリップ部５０は、バッテリ装着部４５の上方に配置されている。また、グリップ部５０の前部は、モータ部２０の後半分の上方に配置されている。なお、二点鎖線で図示される符号９０は、この携帯用カンナ１０の電源となる充電式バッテリである。
【００１４】
ベース１１の下面１１０は、この携帯用カンナ１０の下面を設定する。この下面１１０は、面加工を行う木材の上面に載置されて当接する。ベース１１の上方にはハウジング１３が一体に設けられている。ハウジング１３には、モータ部２０を収容可能な空間となるモータ収容部１４が設けられている。モータ部２０の後方には、ハウジング１３と一体にバッテリ装着部４５が設定されている。また、モータ部２０およびバッテリ装着部４５の上方には、ハウジング１３と連なるグリップ部５０が設定されている。モータ部２０の前方には、ハウジング１３に支持される切込高調整機構７０が設けられている。
【００１５】
モータ部２０は、概略、モータ２１と取付部材３１とを有する。モータ２１は、携帯用カンナ１０の駆動源である。モータ２１は、図１に示すようにアウタロータ型のモータで構成されている。また、モータ２１は、電動のブラシレスＤＣモータで構成されている。モータ２１は、ステータ２２とロータ２６とを有する。ステータ２２は、ステータコア２２０に巻線２３が巻かれて構成される。具体的には、ステータコア２２０は、等間隔で周方向に並べられる複数本のティース部２２２を有する。各ティース部２２２には巻線２３が巻かれている。このよう構成されたステータコア２２０は、図２に示すように固定部２４を介してハウジング１３に固定されている。
【００１６】
ロータ２６は、図１に示すようにロータコア２６０に複数個の磁石２７が取り付けられて構成される。具体的には、円環形状に形成されたロータコア２６０の内周面に、各ティース部２２２と対面状態になる磁石２７が取り付けられている。磁石２７の個数は、ティース部２２２の本数と同数に設定される。ロータコア２６０は、図２に示すようにロータ軸２８と一体にされている。ロータ軸２８は、携帯用カンナ１０の左右方向に延ばされるように配置されている。ロータ軸２８は、ハウジング１３に固定されるベアリング２９１，２９２に回転可能に支持されている。このロータ２６は、図１に示す状態では時計回りで回る。
【００１７】
ロータコア２６０には、ロータコア２６０の外周で一体に環状の取付部材３１が取り付けられている。環状の取付部材３１は、ロータコア２６０の外周全周を覆うように、円環形が左右方向に延ばされて形成されている。この取付部材３１の外周面３２には、左右方向に延ばされる２つの刃具３５が取り付けられている。具体的には、この外周面３２には、周方向に亘る１８０度ごとの位置に刃具取付部３３が設定されている。この刃具取付部３３は、外周面３２の反対側同士の２箇所に設けられている。刃具取付部３３には、刃具３５がロウ付けにより固定されて取り付けられる。刃具３５は、ロータ２６の回転を受けて木材の上面を削ぐ刃である。この刃具取付部３３の回転方向の前方には、外周面３２が凹まされる凹部３４が設けられている。この凹部３４も、刃具取付部３３と同様、取付部材３１の外周面３２に左右方向に延ばされて設けられている。
【００１８】
ロータコア２６０の左側には、図３に示すようにセンサ基板３７が設けられている。センサ基板３７は、位置情報をはじめとするロータ２６の回転情報に関する検出を行う。センサ基板３７は、ハウジング１３に螺子３９により固定されている。センサ基板３７は、適宜のホール素子を有して形成される。センサ基板３７は、信号線３８（図２参照）を介して後述のコントローラ４０に接続されている。センサ基板３７は、検出したロータ２６の回転情報を信号化して信号線３８を通じてコントローラ４０に送信している。
【００１９】
ベース１１およびハウジング１３のうち、モータ部２０の下部周辺には、加工開口部３０が設定されている。加工開口部３０は、取付部材３１に取り付けられた刃具３５にて木材を面加工可能に、取付部材３１の下端３１０を外部に露出可能に設定される。ちなみに、取付部材３１の下端３１０は、ベース１１の下面１１０よりも下方に位置している。これに対し、モータ収容部１４は、取付部材３１の外周面３２に対面する内周面１４０を有する。この内周面１４０の上部かつ前部には収容開口部１５が設けられている。収容開口部１５は、モータ収容部１４の内周面１４０の前側面１４１に沿った上側を開口して設定される。収容開口部１５は、モータ収容部１４から切断粉収容室１６に通じる開口部となっている。
【００２０】
切断粉収容室１６は、モータ部２０の上方に設けられている。切断粉収容室１６は、ハウジング１３に区画されることにより設定されている。切断粉収容室１６には、刃具３５が面加工をすることにより発生する木材の切断粉が集められる空間となっている。この切断粉収容室１６に切断粉が送られるには、モータ２１の回転による巻き上がりによって発生する風が利用されている。具体的には、図１に示す矢印方向でモータ２１が回転すると、モータ収容部１４の前側では、下方から上方に巻き上がり風が発生し、この巻き上がり風に切断粉を巻き込んで切断粉収容室１６に送られる。
【００２１】
モータ収容部１４の内周面１４０の後側面１４２には、冷却開口部１７が設けられている。冷却開口部１７は、モータ収容部１４の内周面１４０の後側面１４２が開口されて設定されている。冷却開口部１７は、モータ収容部１４からコントローラ保持部１８に通じる開口部である。コントローラ保持部１８は、モータ部２０の後方に設けられている。コントローラ保持部１８は、ハウジング１３に区画されることにより設定されている。コントローラ保持部１８には、コントローラ４０が保持されている。コントローラ４０には、図１に示す矢印方向でモータ２１が回転することにより発生する風（巻き上がり風）が、冷却開口部１７を通過して冷却風として当てられる。なお、モータ２１が回転することにより発生する風（巻き上がり風）は、上記した切断粉収容室１６に切断粉を収容した後の風となっている。このため、コントローラ４０を冷却する風は、切断粉の混じりが少ない綺麗な風となっており、コントローラ４０を冷却した後にはバッテリ装着部４５側へと抜けていくようになっている。
【００２２】
コントローラ４０は、モータ２１の回転駆動を制御するものであり、本発明に係る制御部に相当する。コントローラ４０には、図示省略するコントローラ基板が内蔵されている。コントローラ基板には、マイコン、ＦＥＴ（Field effect transistor）などが設けられている。このコントローラ４０には、センサ基板３７と信号線３８にて結線される。コントローラ４０は、センサ基板３７からの回転情報を読み取り、ステータ２２の電力供給の制御を行っている。なお、コントローラ４０は、バッテリ装着部４５に装着された充電式バッテリ９０からステータ２２の巻線２３へと、コントローラ４０を通じて電力供給可能に電力線４８にて結線されている。また、このコントローラ４０は、後に説明する操作スイッチ５５から信号が送信されるように操作スイッチ５５との間でも結線されている。ちなみに、操作スイッチ５５からオン入力の信号が送信されると、コントローラ４０は、ステータ２２の巻線２３に充電式バッテリ９０から電力を供給してモータ２１を回転駆動させる。
【００２３】
コントローラ４０の後側のハウジング１３には、バッテリ装着部４５が設けられている。バッテリ装着部４５は、充電式バッテリ９０が装着可能に構成される。バッテリ装着部４５は、本発明に係るバッテリ保持部に相当する。つまり、コントローラ４０は、モータ２１と充電式バッテリ９０との間に配置されたものとなっている。バッテリ装着部４５は、ベース１１より上方に配置され、ロータ軸２８の上下位置と略一致する上下位置に設けられている。バッテリ装着部４５は、充電式バッテリ９０が装着可能に構成され、本発明に係るバッテリ保持部に相当する。バッテリ装着部４５は上側が装着面となるように設定されている。このため、バッテリ装着部４５に装着された充電式バッテリ９０は、裏返しにされた状態でバッテリ装着部４５に保持される。具体的には、バッテリ装着部４５には、充電式バッテリ９０が着脱されるターミナル４６が設けられている。ターミナル４６は、上側に向けられてハウジング１３に支持されている。ターミナル４６は、スライド装着式の充電式バッテリ９０に対応して構成される。
【００２４】
充電式バッテリ９０は、図４に示すように、ターミナル４６に対して左から右に向けてスライドさせることにより装着された状態となる。また、充電式バッテリ９０は、ターミナル４６に対し、右から左に向けてスライドさせることにより取り外された状態となる。なお、充電式バッテリ９０がターミナル４６に装着された場合には、充電式バッテリ９０のフック９６は、バッテリ装着部４５に設定される係止部４７に係止されることとなる。また、充電式バッテリ９０をターミナル４６から取り外す際は、充電式バッテリ９０のロックオフボタン９５を上側に引いて係止部４７に対するフック９６の係止を外して右から左に向けてスライドさせる。なお、電力供給のための電力線４８にて、ターミナル４６とコントローラ４０との互いは結線されている。
【００２５】
図１に示すように、充電式バッテリ９０がターミナル４６に装着されると、充電式バッテリ９０の下面９１を上方に向けてターミナル４６に保持されることとなる。この充電式バッテリ９０は、ケースの下面９１が平面で設定されると共に、ケースの内部に装置される電池セルが１列で並べられるタイプのものである。ターミナル４６に装着された充電式バッテリ９０は、ベース１１の上方に配置され且つグリップ部５０の下方に配置されるが、平面で設定された下面９１によりグリップ部５０との間の空間は適切に確保されたものとなっている。つまり、後に説明するグリップ部５０の手で握るためのグリップ部５０の空間は効率良く確保されたものとなっている。なお、図２に示すように、ターミナル４６に装着された充電式バッテリ９０の左右幅は、モータ２１の左右幅内に収まるように設定されている。
【００２６】
バッテリ装着部４５の上方には、グリップ部５０が設けられている。グリップ部５０は、いわゆるループ形のハンドルである。グリップ部５０は、ハウジング１３により形成されている。ここで、グリップ部５０は、上面視でモータ２１のステータ２２の左右中間位置に配置されるものとなっている。また、グリップ部５０は、上面視でターミナル４６に装着された充電式バッテリ９０の左右中間位置に配置されるものとなっている。つまり、グリップ部５０は、モータ２１と充電式バッテリ９０との左右バランスを鑑みてハウジング１３に設定されている。
【００２７】
バッテリ装着部４５の下方にはハウジング１３を介してベース１１が配置されている。図１に示すように、ベース１１の後端近くにはベース１１に回転変位可能に脚部材５９が取り付けられている。脚部材５９が図示する下方位置に配置されていると、木材の上に携帯用カンナ１０を置いた場合には、ベース１１の下面１１０は木材から浮き上がったものとなる。これによって、取付部材３１に取り付けられた刃具３５も、木材から浮き上がったものとなり、刃具３５によって木材を傷めてしまうことが無くなる。なお、木材の加工面上で携帯用カンナ１０を前方に滑らすと、脚部材５９は木材に当たることにより下方位置から上方位置に変位し、刃具３５を十分に木材の加工面に当てることができる。
【００２８】
グリップ部５０は、図１に示すように側面視Ｄ形をなしている。グリップ部５０は、後部５１がベース１１の後端近くから上側に延び、前部５２が切断粉収容室１６の前端近くから上側に延び、これらを連ならせる形状に形成されている。なお、グリップ部５０は、図１に示すように、前方にいくにしたがって上方へ傾いていく形状が選択されている。このグリップ部５０には、オンオフ操作を行う操作スイッチ５５が設けられている。操作スイッチ５５は、スイッチ本体５５１と、操作トリガ５５３と、戻しばね５５５と、操作規制ボタン５５７とを有する。
【００２９】
スイッチ本体５５１は、コントローラ４０に接続される接点スイッチで構成されている。操作トリガ５５３は、引き操作可能に構成される。操作トリガ５５３は、ユーザの引き操作によりスイッチ本体５５１の接点がオン接続される。オン接続されたスイッチ本体５５１は、コントローラ４０にオン入力の信号を送信する。戻しばね５５５は、ユーザが引き操作を止めると、操作トリガ５５３を初期位置に戻す付勢をしている。操作規制ボタン５５７は、ロック位置とロックオフ位置に切替え可能となっており、ロック位置にある場合は操作トリガ５５３の引き操作を不可な状態にし、ロック位置にある場合は操作トリガ５５３の引き操作を可能な状態とする。
【００３０】
モータ部２０の前方には、切込高調整機構７０が設けられている。切込高調整機構７０は、ハウジング１３のハウジング支持部１３１に設けられている。切込高調整機構７０は、概略、変位ベース７１と、固定シャフト７２と、六角ナット７３と、操作ノブ７４と、付勢ばね７５とを有する。変位ベース７１は、ハウジング支持部１３１に対して上下方向で相対変位可能になっている。このため、変位ベース７１の下面７１０は、上記したベース１１の下面１１０との相対的な上下位置が変わるものとなっている。このように相対的な上下位置が変わる下面７１０は、取付部材３１の下端３１０に対しても相対的な上下位置が変わる。つまり、切込高調整機構７０は、加工開口部３０から突出される突出量を変え、木材の上面を削ぐ刃具３５の切込み深さを調節可能としている。
【００３１】
具体的には、変位ベース７１は、上記した下面７１０を有しつつ、上部にばね収容部７１１が設けられている。このばね収容部７１１には、後に説明する付勢ばね７５が収容される。固定シャフト７２は上下方向に延びるように配置され、下端７２１が変位ベース７１に一体にされている。これに対し、固定シャフト７２の上部７２２は、六角ナット７３が螺合される雄螺子として形成されている。六角ナット７３は、操作ノブ７４の嵌合内部７４３に嵌合されて収容されている。つまり、嵌合内部７４３は、六角ナット７３の六角外周面が嵌まる六角内周面を有して形成される。このため、六角ナット７３は、操作ノブ７４と一体に回転する。この六角ナット７３が操作ノブ７４と一体に回転すると、雄螺子として形成される固定シャフト７２の上部７２２に対して相対変位することとなる。
【００３２】
六角ナット７３の下端７３１は、操作ノブ７４に対して当接可能である。操作ノブ７４の下端７４１は、ハウジング支持部１３１に対して当接可能である。このため、例えば固定シャフト７２の上部７２２に対して六角ナット７３が下がるように相対変位すると、六角ナット７３と操作ノブ７４はハウジング支持部１３１から支持され、固定シャフト７２は付勢ばね７５の付勢力に抗してハウジング支持部１３１に対して上方に上がるように相対変位する。このように固定シャフト７２が上方に上がると、この固定シャフト７２と一体とされる変位ベース７１もハウジング支持部１３１に対して上方に上がることとなる。逆に固定シャフト７２の上部７２２に対して六角ナット７３が上がるように相対変位すると、六角ナット７３と変位ベース７１との間の長さが長くなり、付勢ばね７５の付勢力を受けて変位ベース７１はハウジング支持部１３１に対して下方に下がることとなる。
【００３３】
上記したように構成される携帯用カンナ１０によれば、次のような作用効果を奏することができる。すなわち、上記した携帯用カンナ１０によれば、モータ２１がアウタロータ型のモータで構成されているので、インナロータ型のモータに比べて回転トルクが高められたものとなっている。これによって、ベルトやギヤなどの減速手段を介装させることなく、モータ２１の一部となるアウタロータのロータ２６外周の取付部材３１に刃具３５を取り付けることができる。したがって、回転トルクを高めるための減速手段を廃止することができ、軽量化およびコンパクト化を図って使用者にとって扱い易いものとなる。また、上記した携帯用カンナ１０によれば、モータ２１をブラシ無しの構成とすることができる。これによって、モータ２１の軽量化およびコンパクト化とすることができ、携帯用カンナ１０自体の軽量化およびコンパクト化が図られている。
【００３４】
上記した携帯用カンナ１０によれば、手で握られるグリップ部５０の下方に充電式バッテリ９０が配置されているので、充電式バッテリ９０の嵩張りを携帯用カンナ１０の上下前後左右の寸法内に収めることができる。これによって、携帯用カンナ１０のコンパクト化を図ることができ、使用者の作業のし易さを高めることができる。なお、このように手で握られるグリップ部５０の下方に充電式バッテリ９０が配置されていると、充電式バッテリ９０の重量は手の握り位置よりも下方位置でかかることとなる。これによって、携帯用カンナ１０の重心位置を手で握る位置よりも下げて操作安定性に優れたものとすることができる。
【００３５】
上記した携帯用カンナ１０によれば、モータ２１と充電式バッテリ９０との間にモータ２１を制御するコントローラ４０が配置されているので、モータ２１と充電式バッテリ９０との間の配線を最も短くすることができる。これによって、携帯用カンナ１０のコンパクト化を図ることができ、使用者の作業のし易さを高めることができる。なお、このようにモータ２１と充電式バッテリ９０との間にモータ２１を制御するコントローラ４０が配置されていると、コントローラ４０は充電式バッテリ９０よりもモータ２１に近づけられて配置される。これによって、モータ２１の回転駆動力を利用して発生させた冷却風をコントローラ４０に当て易くすることができ、コントローラ４０を良好に冷却することができる。
【００３６】
上記した携帯用カンナ１０によれば、充電式バッテリ９０は裏返された状態で保持されることとなる。これによって、平面に設定される充電式バッテリ９０の下面９１を上方に向けて配置させることができて、充電式バッテリ９０上方のスペースを効率良く確保することができる。これによって、携帯用カンナ１０のコンパクト化を図ることができ、使用者の作業のし易さを高めることができる。なお、このようにベース１１の上方に配置されたバッテリ保持部４５で充電式バッテリ９０が保持されていると、充電式バッテリ９０の重量がベース１１にかかり易いようになる。これによって、木材に当てるための荷重を良好に確保することができて、木材の面加工を効率良く行うことができる。
【００３７】
なお、本発明に係る携帯用カンナにあっては、上記した実施の形態に限定されるものではなく、上記した実施の形態から把握される種々の発明の側面において、適宜に変更が加えられた形態としてもよい。例えば、上記した実施の形態では、駆動源がアウタロータ型のブラシレスＤＣモータで構成されるものであった。しかしながら、この駆動源の特徴事項をアウタロータ型のモータとして把握するならば、上記したブラシレスＤＣモータの形態に限られず、例えばブラシ付きモータで構成されるものであってもよい。また、駆動源の特徴事項をブラシレスモータとして把握するならば、上記したアウタロータ型のモータの形態に限られず、例えばインナロータ型のモータで構成されるものであってもよい。
【００３８】
また、上記した実施の形態では、充電式バッテリ９０は、グリップ部５０の後部５１と前部５２との間の、グリップ部５０の下方に配置されるものとなっていた。しかしながら、充電式バッテリが配置される位置の特徴事項をグリップの下方として把握するならば、例えばグリップ部５０の後部５１の後側に充電式バッテリが配置されたり、例えばグリップ部５０の前部５２の前側に充電式バッテリが配置されたりするものであってもよい。さらに言えば、充電式バッテリが配置される位置としては、グリップ部５０の真下ではなく、例えば左右いずれかにずらされた下方に配置されるものであってもよい。また、上記のグリップ部５０の形状にあっては側面視Ｄ形をなして形成されていたが、本発明に係るグリップとしては、バッテリの上方に配置されるものであれば、適宜の形状を選択することができる。
【００３９】
また、上記した実施の形態では、モータ２１と充電式バッテリ９０との間に、モータ２１を制御するコントローラ４０（制御部）が配置されていた。しかしながら、この制御部が配置される位置の特徴事項をモータとバッテリとの間として把握するならば、例えばモータ２１とコントローラ４０との間に適宜のフィルタ部材が介在されたり、例えばモータ２１とコントローラ４０との間に適宜の冷却風ガイド構造を設けたりするものであってもよい。この冷却風ガイド構造としては、粉塵の侵入を抑制するための適宜のラビリンス構造を設定するものであってもよい。また、コントローラ４０と充電式バッテリ９０との間に、適宜の介在物が設けられるものであってもよい。
【００４０】
また、上記した実施の形態では、充電式バッテリ９０は、裏返しにされた状態でバッテリ装着部４５に保持されていた。つまり、充電式バッテリ９０は、下面９１を上方に向けてバッテリ装着部４５に保持されていた。しかしながら、バッテリ保持部に保持されるバッテリの特徴事項をバッテリが裏返しにされた配置状態として把握するならば、例えばグリップ部５０の後側や前側や上側にバッテリ装着部を設けて配置させるものであってもよい。また、バッテリ保持部に保持されるバッテリとしては、上記した形態のスライド式の着脱例に限定されることなく、適宜の着脱を選択することができる。
【符号の説明】
【００４１】
１０  携帯用カンナ
１１  ベース
１１０  下面
１３  ハウジング
１３１  ハウジング支持部
１４  モータ収容部
１４０  内周面
１４１  前側面
１４２  後側面
１５  収容開口部
１６  切断粉収容室
１７  冷却開口部
１８  コントローラ保持部
２０  モータ部
２１  モータ（アウタロータ型のモータ、ブラシレスモータ）
２２  ステータ
２２０  ステータコア
２２２  ティース部
２３  巻線
２４  固定部
２６  ロータ
２６０  ロータコア
２７  磁石
２８  ロータ軸
２９１，２９２  ベアリング
３０  加工開口部
３１  取付部材
３１０  下端
３２  外周面
３３  刃具取付部
３４  凹部
３５  刃具
３７  センサ基板
３８  信号線
３９  螺子
４０  コントローラ（制御部）
４５  バッテリ装着部（バッテリ保持部）
４６  ターミナル
４７  係止部
４８  電力線
５０  グリップ部（グリップ）
５１  後部
５２  前部
５５  操作スイッチ
５５１  スイッチ本体
５５３  操作トリガ
５５７  操作規制ボタン
７０  切込高調整機構
７１  変位ベース
７１０  下面
７１１  ばね収容部
７２  固定シャフト
７２１  下端
７２２  上部
７３  六角ナット
７３１  下端
７４  操作ノブ
７４１  下端
７４３  嵌合内部
９０  充電式バッテリ（バッテリ）
９１  充電式バッテリの下面
９５  ロックオフボタン
９６  フック
【図１】
2017056684.tif 000003
【図２】
2017056684.tif 000004
【図３】
2017056684.tif 000005
【図４】
2017056684.tif 000006